(57)【特許請求の範囲】
【請求項１】
２枚の半片ディスクを互いに接着してディスクを製造する方法、例えばＤＶＤなどの光学的キャリヤの製造方法において、
それぞれが中心に穴を備えた２枚の半片ディスクを供給し、
１枚の半片ディスクを回転部材上に配置し、該回転部材には、該半片ディスクの中央穴に貫通されるような心棒が設けられており、
半片ディスクの中心領域に若干の接着剤を付着させ、
第２の半片ディスクを最初の半片ディスクの上に接着剤を封じ込めるように心棒に押しかぶせて同心円状に配置し、
発生する遠心力の影響下で、接着剤が２枚の半片ディスクの間で拡大する前面に沿って拡がるように、２枚の半片ディスクとともに回転部材を回転させ、
光の照射によって接着剤前面の直ぐ後部の接着剤を安定化させ、
前記接着剤を硬化させ、
前記回転部材及び心棒から接着剤と共に半片ディスクを取り外す、
上記の各段階により構成されることを特徴とする光学的データキャリヤーの製造方法。
【請求項２】
紫外線の照射手段による接着剤前面後部の接着剤を安定させる段階から構成されることを特徴とする請求項１に記載の光学的データキャリヤーの製造方法。
【請求項３】
それぞれ中央穴を設けた２枚の半片ディスクを互いに接着する光学的データキャリヤの製造方法であって、
１枚の半片ディスクを回転部材上に配置し、該回転部材には、該半片ディスクの中央穴に貫通されるような心棒が設けられており、
上記心棒を最初に置かれた半片ディスクの中央穴の壁に対して接触するように伸長させ、
該半片ディスクの中央部に接着剤の所定量を付着させ、
第２の半片ディスクを、接着剤を封じ込めるように、第１の半片ディスクの上に同心円状に心棒の上から配置し、
発生する遠心力の影響下で、接着剤が２枚の半片ディスクの間で拡大する前面に沿って拡がるように、２枚の半片ディスクとともに回転部材を回転させ、
光の照射によって接着剤前面の直ぐ後部の接着剤を安定化させ、
接着剤を硬化させ、
互いに接着した半片ディスクを回転部材及び心棒から取り外す、
各段階から構成されることを特徴とする、請求項１又は２に記載の光学的データキャリヤーの製造方法。
【請求項４】
比較的硬質な芯を有する心棒及び芯を取り巻く可撓性スリーブを供給する段階から構成され、圧縮空気の手段によってスリーブを伸長させることを特徴とする、請求項１〜３に記載の光学的データキャリヤーの製造方法。
【請求項５】
最初の半片ディスクを所定の位置に配置し、
次いで、心棒を伸長し、
次に最初の半片ディスクに接着剤を付着させ、
次に第２の半片ディスクを心棒の上から取り付け、第２の半片ディスクを伸張した心棒の上から取付けて、心棒に付着した接着剤を第２のディスクによって除く段階から構成されることを特徴とする、請求項３又は４に記載の光学的データキャリヤーの製造方法。
【請求項６】
上記請求項１〜５の方法により、ディスク、例えばＤＶＤなどの光学的データキャリヤーを製造するために２枚の半片ディスクを互いに接着する装置であって、
半片ディスクを収容できる回転部材を具備し、
また、接着剤を硬化させるための光線ビームを放出する光の照射源を具備し、照射源は接着剤前面の直ぐ後部の接着剤を安定化するように、光線を心棒に対して半径方向に動かすことができることを特徴とする、光学的データキャリヤーの製造装置。
【請求項７】
２枚の半片ディスクを互いに接着するための装置であって、該半片ディスクはそれぞれが中央穴を有し、回転部材は心棒を有し、該心棒は半径方向に伸張可能であり、各半片ディスクの中央穴を通して取り付けられることを特徴とする、請求項６に記載の光学的データキャリヤーの製造装置。
【請求項８】
前記心棒は、中央芯及び中央芯に気密性を備えて接続される可撓性スリーブから構成され、中央芯は、可撓性スリーブの内部に開いている空気供給導管を備えることを特徴とする、請求項６又は７に記載の光学的データキャリヤーの製造装置。
【請求項９】
前記心棒は、中央供給導管及びそこに円筒状芯の外側表面に出口を開けた少なくとも一つの放射状に横断する導管が接続される円筒状芯から構成されることを特徴とする、請求項６に記載の光学的データキャリヤーの製造装置。
【請求項１０】
前記芯は圧縮された部分を構成し、その中でスリーブ部が収容されることを特徴とする、請求項９に記載の光学的データキャリヤーの製造装置。
【請求項１１】
前記スリーブは両端を締付けリングの間に締め付けられることを特徴とする、請求項１０に記載の光学的データキャリヤーの製造装置。
【請求項１２】
前記スリーブは少なくとも一つの内部凹所を有し、心棒は少なくともひとつの凹所の中にはめ合う対応凸所を有することを特徴とする、請求項１１に記載の光学的データキャリヤーの製造装置。
【発明の詳細な説明】
【０００１】
【発明の属する技術分野】
本発明は, ２枚の半片ディスクを製造する分野に係わる。
【０００２】
【従来の技術】
この種類のディスクは, 一般にＤＶＤなどの大容量を帯びる光学データである。  この場合では, 半片のディスクの双方は, レーザ光線によって読むことができる一連の螺旋状をしたきわめて微小な穴又は突起を帯びている。
半片のディスクは, 接着剤によって互いに取付けられる。この接着剤は, ２枚の半片ディスク間の中心穴近傍部分に配置され, 次に遠心力によって半片ディスク間の全表面にわたって広げられる。
この方法では, 半片ディスク間に信頼性があり, 完全な接合を確実にすることができる。更に、遠心力は, 中心穴近傍に始めに附けた接着剤の比較的厚い玉がきわめて均一に広げられることを確実にする。
【０００３】
【発明が解決しようとする課題】
接着剤の玉は, 半片ディスクの縁に向かって半径方向の中で前部に沿って広がる。工程の中で、前部が外側へ広げられる速度及び力のために接着剤は, この前部の直後に位置しそれに沿って運ばれることに問題を生じる恐れがある。その結果, 接着剤の層は, 良好な接着を確実にするくらいに小さくなる。
【０００４】
本発明の目的は, この欠点をもたない上述の如きディスクを製造するための方法及び装置を提供するものである。
【課題を解決するための手段】
【０００５】
この目的は, ディスクを製造するための２枚の半片ディスクを例えばＤＶＤなどの光学データキャリヤーを相互に接着する方法の手段によって以下の段階を構成して達成される。
−  回転部材（３, ４）上に１枚の半片ディスク( ５) を載せる。
−  若干の接着剤( ２０) を半片ディスク( ５) の中央部に附ける。
−  ２番目の半片ディスクを最初の半片ディスク( ５) の上に接着剤( ２０)を封じ込めるように同心状に載せる。
−  ２枚の半片ディスク( ５, ２１) を、発生する遠心力の影響のもとで接着剤( ２０) が２枚の半片ディスク( ５, ２１) の間で伸張する前部に沿って拡大するような方法で回転部品( ３, ４) を回転させる。
−  光の照射によって前部接着剤の直ぐ後方の接着剤は直ちに安定化させる。
−  接着剤( ２０) を養生させる。
−  相互に接着された半片ディスク( ５, ２１) を回転部材( ３, ４) から取り外す。
【０００６】
この発明に従った方法によって, 前部の接着剤の直ぐ後方にある接着剤は, 安定化しゲル状態になり, もはや前部接着剤を引き込む恐れはない。結果として接着剤の望まれる層の厚さは、半片ディスクの全表面にわたって保持される。一般には, 双方の半片ディスクは, 中心穴を有し、それを通して回転部材上の心棒は伸張される。中心穴の位置において２枚の半片ディスク間の空間は伸張した心棒によって密封される。結果として, 接着剤は半片ディスクがもう一方にディスクに軽く押し付けられても穴の中に漏れ出すことはない。その結果、心棒は汚損されることはない。
【０００７】
比較的硬い芯及びその芯を取り巻く圧縮空気によって拡張することが可能な可撓性を有するスリーブを有する心棒の使用が好ましい。
この場合の手順は, 次による。
−  最初の半片ディスクを所定の位置に置く。
−  次に心棒を伸張する。
−  最初の半片ディスクに接着剤を附ける。
−  ２番目の半片ディスクを伸張した心棒の上に載せ、心棒に付いた接着剤を取り去る。
【０００８】
接着剤は, いわば２番目の半片ディスクによって可撓性を有するスリーブから擦り去られるのでスリーブは, 多数のディスクを製造した後でも損傷しない。
この発明は，ＤＶＤなどの光学的データキャリヤーの如きディスクを製造するために互いに中心穴を備えた２枚の半片ディスクを互いに接着する装置についても係わる。この発明に従ったこの装置は, 心棒に関して半径方向に移動することができる光線を発する照射源を有する。
【０００９】
伸縮可能な心棒は, 種々の方法で設計することができる。  この心棒は, 中央部芯及び可撓性スリーブから構成され, 可撓性スリーブ部は芯に気密を保持して接続され, 芯は, 可撓性スリーブの内部に出口を開けた空気供給送管を有する。
【００１０】
更に詳述すれば、上記目的は、請求項１の発明によれば、例えばＤＶＤなどの光学的データキャリヤーの製造方法において、
回転部材上に１枚の半片ディスクを載せ、
若干の接着剤を半片ディスクの中央部に附け、
２番目の半片ディスクを最初の半片ディスクの上に接着剤を封じ込めるように同心状に載せ、
２枚の半片ディスクを、発生する遠心力の影響のもとで接着剤が２枚の半片ディスクの間で伸張する前部に沿って拡大するような方法で回転部品を回転させ、
光の照射によって前部接着剤の直ぐ後方の接着剤は直ちに安定化され、
接着剤を養生させ、
相互に接着された半片ディスクを回転部材及び心棒から取り外す、
上記段階により構成されることを特徴とする光学的データキャリヤーの製造方法によって達成される。
【００１１】
また、上記目的は、請求項２の発明によれば、ＵＶ光線の照射によって接着剤前部の後方接着剤を安定させる段階から構成されることを特徴とする請求項１に記載の光学的データキャリヤーの製造方法によって達成される。
【００１２】
また、上記目的は、請求項３の発明によれば、それぞれ中央部穴を設けた２枚の半片ディスクを互いに接着し、
心棒が当該半片ディスクにある中央穴を通してはめあうような方法で準備された回転部材の上に一枚の半片ディスクを置き、
上記心棒を最初に置かれた半片ディスクの中央穴の壁に対して平らになるように伸張させ、
若干量の接着剤を当該半片ディスクに附け、
第２の半片ディスクを最初の半片ディスクの上に同心状に接着剤を囲むように心棒の上から取り付け、
２枚の半片ディスクと共に回転部材を、発生した遠心力の影響のもとで接着剤が２枚の半片ディスクの間に拡大する前部に沿って回転させ、
前部接着剤の直ぐ後ろの接着剤を光の照射によって安定化させ、
接着剤を養生させ、
互いに接着した半片ディスクを回転部材及び心棒から取り外す、上記段階により構成されることを特徴とする請求項１または２に記載の光学的データキャリヤーの製造方法によって達成される。
【００１３】
また、上記目的は、請求項４の発明によれば、比較的硬質の芯及び芯を取り巻く可撓性スリーブ及び圧縮空気によって伸張するスリーブを供する段階から構成される特徴とする請求項１〜３に記載の光学的データキャリヤーの製造方法によって達成される。
【００１４】
また、上記目的は、請求項５の発明によれば、最初の半片ディスクを所定の位置に置き、
次に心棒を伸張し、
最初の半片ディスクに接着剤を附け、
第２の半片ディスクを伸張した心棒の上から取付け, そこに接着した接着剤を除く段階から構成される特徴とする請求項１〜４に記載の光学的データキャリヤーの製造方法によって達成される。
【００１５】
また、上記目的は、請求項６の発明によれば、例えばＤＶＤなどの光学的データキャリヤーのためのディスクを製造するために２枚の半片ディスクを互いに接着する装置で、回転できる運搬器の上に半片ディスクが適応され, 光の照射源が接着剤を養生するために光線を放出できることに特性付けられ構成され，上記請求項１−５の一つに従った方法を用いてなることを特徴とする光学的データキャリヤーの製造装置によって達成される。
【００１６】
また、上記目的は、請求項７の発明によれば、光線が心棒に関して半径方向に移動できることを特徴とする請求項６に記載の光学的データキャリヤーの製造装置によって達成される。
【００１７】
また、上記目的は、請求項８の発明によれば、互いに中央穴を備えた２枚の半片ディスクを互いに接着するための装置で、その中の運搬器は心棒が準備され半片ディスク内の中央穴を通してはめ合わされ、心棒は中心から四方に広がる方向に拡大できることを特徴とする請求項６に記載の光学的データキャリヤーの製造装置よって達成される。
【００１８】
また、上記目的は、請求項９の発明によれば、心棒は中央芯及び芯に気密を保持して接続された可撓性スリーブ, 芯は空気供給送管を有し、可撓性スリーブの内部へ出口を開かれることを特徴とする請求項７又は８に記載の光学的データキャリヤーの製造装置によって達成される。
【００１９】
また、上記目的は、請求項１０の発明によれば、心棒は中央部に空気供給送管、そこに芯の外側表面に出口を開けた少なくとも一つの放射状に横断する送管が接続される円筒状芯から構成されることを特徴とする請求項７に記載の光学的データキャリヤーの製造装置によって達成される。
【００２０】
また、上記目的は、請求項１１の発明によれば、芯はスリーブが適応される締め付け区分を構成することを特徴とする請求項１０に記載の光学的データキャリヤーの製造装置によって達成される。
【００２１】
また、上記目的は、請求項１２の発明によれば、スリーブは両端を締付け輪の間で締め付けられることを特徴とする請求項１１に記載の光学的データキャリヤーの製造装置によって達成される。
【００２２】
また、上記目的は、請求項１３の発明によれば、スリーブは少なくとも一つの内部凹所を有し, 心棒は少なくとも一つの凹所の中にはめ合う対応隆起を有することを特徴とする請求項６〜１２に記載の光学的データキャリヤーの製造装置によって達成される。
【００２３】
【発明の実施の形態】
以下、本発明の好適な一実施の形態を説明する。
図８に示す方法を遂行する装置は, １によって全体にわたって示されハウジング２の中で回転可能に取付けられた回転部材から構成される。この回転部材１は, 当該ハウジング２の中で回転できる軸３及びその上で最初の半片ディスク５が準備される運搬器４から構成される。この半片ディスク５は中央穴６を有し７に全体を示すそれを通る心棒がはめ合わされる。この心棒７は軸３に取付けられ,軸３内の孔１０に供給するために接続された孔９をもつ比較的硬質な芯８から構成される。
【００２４】
芯８は, 締付け部１１を有しその中に例えばゴムで作られた可撓性スリーブ１２がきついはめあいで合わされる。この可撓性スリーブ１２は芯８の隆起１４にはめあう凹所１３を有する。
【００２５】
可撓性スリーブ１２は, 頂部において取付け輪１５内に取付けられ、下部において取付け輪１６内に取付けられる。
４個の放射状送管１７は, 芯８内の送管９から可撓性スリーブ１２の内部表面に向けて伸びる。供給送管１０を経て圧縮空気が供給されると、その結果可撓性部品１２は図１−８に引用してより詳細に説明される穴６の内壁に対して強固に支えるような方法で伸張する。
【００２６】
運搬器４の外側周囲においてハウジング２に固定された収集枠がある。この収集枠は, 半片ディスク５の回転中に外側に飛び散った接着剤を収集し, それを出口１９を経由して排出する。
【００２７】
本発明に従った方法において, 図１−７に手順をそれぞれの場合において軸３, 運搬器４及び心棒７が図式で示される。本発明に従った装置のその他の部品は明瞭化を期すために省略した。
図１に示す如く, 最初に半片ディスク５は運搬器４上に心棒７の上から置かれる。このとき心棒７はまだ伸張されていない。
そのような操作中、図２に示す状態に到達し, そこでは最初の半片ディスク５は運搬器４上に置かれる。  図３に示す如くスリーブ１２は伸張され最初の半片ディスク５内の穴６の内壁に対して強固に支える。次に図４に示す如く接着剤２０の玉がこの半片ディスク内の中央穴に隣接する最初の半片ディスク５の部位の中で伸張したスリーブ１２の周囲に適用される。
【００２８】
次に図５に示す如く, 第２の半片ディスク２１が伸張したスリーブ１２の上に置かれ, 工程中伸張したスリーブ１２に接着した接着剤２０は最初の半片ディスク５に向けて擦り落とされる。
【００２９】
互いに接するように準備された半片ディスク５，２１が回転し, それによって遠心力が発生した結果, 半片ディスク５，２１の相互に向かい合った表面全体にわたって接着剤が広げられる。半片ディスク５，２１の回転によって生じた遠心力の影響のもとで接着剤の層は, 拡大する前部として外側に広がる。  これは, 当該前部の直ぐ後ろの接着剤の層が前部によって吸引されるために薄くなり過ぎるという問題を生じる恐れがある。
【００３０】
接着剤の層を望まれる厚さに保持するために、本発明に従って前部の直ぐ後ろの接着剤は紫外線を照射する光源２４の手段によって安定化される。その結果,ゲル状の性質が接着剤に伝えられ, かくして前部に沿って吸引されるのを防止する。
【００３１】
最終的に、図８に示す如く, スリーブは減圧され、初期の形状に戻り, 製造されたディスク２３は今、互いに接着された半片ディスク５, ２１から構成され、運搬器４から取り外される。
【００３２】
【発明の効果】
上記のように、本発明によれば  接着剤の玉は, 半片ディスクの縁に向かって半径方向の中で前部に沿って広がり、工程の中で、前部が外側へ広げられる速度及び力のために接着剤は, この前部の直後に位置しそれに沿って運ばれることに問題を生じる恐れがあり、その結果, 接着剤の層は, 良好な接着を確実にするくらいに小さくなる、という欠点を持たないディスクを製造するための方法及び装置を提供することが可能となる。
【図面の簡単な説明】
【図１】  この発明に従った方法の段階を示す。
【図２】  この発明に従った方法の段階を示す。
【図３】  この発明に従った方法の段階を示す。
【図４】  この発明に従った方法の段階を示す。
【図５】  この発明に従った方法の段階を示す。
【図６】  この発明に従った方法の段階を示す。
【図７】  この発明に従った方法の段階を示す。
【図８】  この発明に従った装置の断面を示す。
【符号の説明】
３，４      回転部材
５，２１    半片ディスク
６          心棒
２０        接着剤
２３        ディスク
【図１】
0004126383.tif 000002
【図２】
0004126383.tif 000003
【図３】
0004126383.tif 000004
【図４】
0004126383.tif 000005
【図５】
0004126383.tif 000006
【図６】
0004126383.tif 000007
【図７】
0004126383.tif 000008
【図８】
0004126383.tif 000009